(57)【要約】【課題】中性子線に含まれる熱中性子の量の測定精度を向上できる中性子線測定装置、及び中性子線測定方法を提供する。【解決手段】検出結果取得部３１は、熱中性子線及び熱外中性子線を含んだ中性子線の量を検出する第１の検出部１６からの第１の検出結果を取得する。それに加えて、検出結果取得部３１は、熱中性子線がカットされた中性子線の量を検出する第２の検出部１７からの第２の検出結果と、を取得する。このように第２の検出結果は、熱中性子線がカットされた状態の中性子線の量を示しているため、第１の検出結果と第２の検出結果との差分は、中性子線に含まれる熱中性子線の量を示している。従って、算出部３２は、第１の検出結果及び第２の検出結果に基づいて、中性子線に含まれる熱中性子線の量を算出する。【選択図】図２
2019184446.tif 000002
【特許請求の範囲】
【請求項１】
ターゲットへの荷電粒子線の照射によって発生した中性子線の量を測定する中性子線測定装置であって、
前記中性子線を検出する検出部からの検出結果を取得する検出結果取得部と、
前記検出結果取得部で取得された前記検出結果に基づいて、前記中性子線の量を算出する算出部と、を備え、
前記検出結果取得部は、
熱中性子線及び熱外中性子線を含んだ前記中性子線の量を検出する第１の検出部からの第１の検出結果、及び前記熱中性子線がカットされた前記中性子線の量を検出する第２の検出部からの第２の検出結果と、を取得し、
前記算出部は、前記中性子線に含まれる前記熱中性子線の量を算出する、中性子線測定装置。
【請求項２】
前記熱中性子線をカットするフィルタを着脱可能であって、前記フィルタが外された状態では前記第１の検出部として検出を行い、前記フィルタが取り付けられた状態では前記第２の検出部として検出を行う第１の検出器と、
前記熱中性子線及び前記熱外中性子線を含んだ前記中性子線の量を検出する第３の検出部として検出を行い、前記第１の検出器とは別体として設けられた第２の検出器と、を備え、
前記検出結果取得部は、
前記第１の検出器から前記フィルタが外された状態で行われる前記ターゲットへの前記荷電粒子線の第１の照射の時に、前記第１の検出部からの前記第１の検出結果、及び前記第３の検出部からの第３の検出結果を取得し、
前記第１の検出器に前記フィルタが取り付けられた状態で行われる前記ターゲットへの前記荷電粒子線の第２の照射の時に、前記第２の検出部からの前記第２の検出結果、及び前記第３の検出部からの前記第３の検出結果を取得し、
算出部は、
前記第１の照射時の前記第１の検出結果と、前記第２の照射時の前記第２の検出結果との差分を算出し、
前記第１の照射時の前記第３の検出結果と、前記第２の照射時の前記第３の検出結果と、の比に基づき、前記差分を補正して前記熱中性子の量を算出する、請求項１に記載の中性子線測定装置。
【請求項３】
各タイミングにおける前記熱中性子線の量と前記熱外中性子線の量との比率を記憶する記憶部と、
第１のタイミングにおける前記比率と第２のタイミングにおける前記比率の変化に基づいて異常判定を行う判定部と、を備える、請求項１又は２に記載の中性子線測定装置。
【請求項４】
ターゲットへの荷電粒子線の照射によって発生した中性子線の量を測定する中性子線測定方法であって、
熱中性子線及び熱外中性子線を含んだ前記中性子線の量を検出した第１の検出結果を取得する第１の検出結果取得工程と、
前記熱中性子線がカットされた前記中性子線の量を検出した第２の検出結果を取得する第２の検出結果取得工程と、
前記第１の検出結果及び前記第２の検出結果に基づいて、前記中性子線に含まれる前記熱中性子線の量を算出する算出工程と、を備える中性子線測定方法。
【請求項５】
前記第１の検出結果取得工程では、前記ターゲットへの前記荷電粒子線の第１の照射の時に、検出器が前記中性子線の量を検出し、
前記第２の検出結果取得工程では、前記ターゲットへの前記荷電粒子線の第２の照射の時に、前記熱中性子線をカットするフィルタを取り付けた状態の前記検出器が前記中性子線の量を検出する、請求項４に記載の中性子線測定方法。
【発明の詳細な説明】
【技術分野】
【０００１】
本発明は、中性子線測定装置、及び中性子線測定方法に関する。
【背景技術】
【０００２】
近年、中性子線を用いて治療が行われる技術がある。例えば、中性子線を照射してがん細胞を死滅させる中性子捕捉療法として、ホウ素化合物を用いたホウ素中性子捕捉療法（ＢＮＣＴ：Boron Neutron Capture Therapy）が知られている。ホウ素中性子捕捉療法では、がん細胞に予め取り込ませておいたホウ素に中性子線を照射し、これにより生じる重荷電粒子の飛散によってがん細胞を選択的に破壊する。
【０００３】
このように治療に用いられる中性子線の量を測定するために、例えば特許文献１に示される中性子線測定装置が用いられる。特許文献１に示される中性子線測定装置は、検出部で中性子線を検出し、当該検出結果に基づいて中性子線の量を算出している。
【先行技術文献】
【特許文献】
【０００４】
【特許文献１】特開２０１６−１６６７７７号公報
【発明の概要】
【発明が解決しようとする課題】
【０００５】
ここで、ターゲットに荷電粒子線を照射して中性子線を発生させた場合、当該中性子線は、熱中性子と熱外中性子の双方を含んでいる。治療においては熱中性子が用いられるため、熱中性子の量を把握することが求められる。しかしながら、上述の中性子線測定装置は、熱中性子と熱外中性子を区別することなく測定しているため、熱中性子をより正確に測定することが求められていた。
【０００６】
従って、本発明は、中性子線に含まれる熱中性子の量の測定精度を向上できる中性子線測定装置、及び中性子線測定方法を提供することを目的とする。
【課題を解決するための手段】
【０００７】
本発明に係る中性子線測定装置は、ターゲットへの荷電粒子線の照射によって発生した中性子線の量を測定する中性子線測定装置であって、中性子線を検出する検出部からの検出結果を取得する検出結果取得部と、検出結果取得部で取得された検出結果に基づいて、中性子線の量を算出する算出部と、を備え、検出結果取得部は、熱中性子線及び熱外中性子線を含んだ中性子線の量を検出する第１の検出部からの第１の検出結果、及び熱中性子線がカットされた中性子線の量を検出する第２の検出部からの第２の検出結果と、を取得し、算出部は、中性子線に含まれる熱中性子線の量を算出する。
【０００８】
本発明に係る中性子線測定装置は、中性子線を検出する検出部からの検出結果を取得する検出結果取得部と、検出結果取得部で取得された検出結果に基づいて、中性子線の量を算出する算出部と、を備える。ここで、検出結果取得部は、熱中性子線及び熱外中性子線を含んだ中性子線の量を検出する第１の検出部からの第１の検出結果を取得する。それに加えて、検出結果取得部は、熱中性子線がカットされた中性子線の量を検出する第２の検出部からの第２の検出結果と、を取得する。このように第２の検出結果は、熱中性子線がカットされた状態の中性子線の量を示しているため、第１の検出結果と第２の検出結果との差分は、中性子線に含まれる熱中性子線の量を示している。従って、算出部は、第１の検出結果及び第２の検出結果に基づいて、中性子線に含まれる熱中性子線の量を算出する。以上により、中性子線に含まれる熱中性子の量の測定精度を向上できる。
【０００９】
中性子線測定装置は、熱中性子線をカットするフィルタを着脱可能であって、フィルタが外された状態では第１の検出部として検出を行い、フィルタが取り付けられた状態では第２の検出部として検出を行う第１の検出器と、熱中性子線及び熱外中性子線を含んだ中性子線の量を検出する第３の検出部として検出を行い、第１の検出器とは別体として設けられた第２の検出器と、を備え、検出結果取得部は、第１の検出器からフィルタが外された状態で行われるターゲットへの荷電粒子線の第１の照射の時に、第１の検出部からの第１の検出結果、及び第３の検出部からの第３の検出結果を取得し、第１の検出器にフィルタが取り付けられた状態で行われるターゲットへの荷電粒子線の第２の照射の時に、第２の検出部からの第２の検出結果、及び第３の検出部からの第３の検出結果を取得し、算出部は、第１の照射時の第１の検出結果と、第２の照射時の第２の検出結果との差分を算出し、第１の照射時の第３の検出結果と、第２の照射時の第３の検出結果と、の比に基づき、差分を補正して熱中性子の量を算出してよい。このように、第１の検出器に対してフィルタを着脱し、且つ、第１の照射及び第２の照射を行うことにより、第１の検出部と第２の検出部とを一つの検出器で兼用することができる。ここで、第１の照射と第２の照射とで、ターゲットから発生する中性子線の照射量自体が変化する場合がある。しかしながら、このような場合であっても、第１の検出器とは別体の第２の検出器にて、第１の照射時と第２の照射時に、ターゲットから発生する中性子線の照射量を第３の検出結果として検出する。また、算出部は、第１の照射時の第３の検出結果と、第２の照射時の第３の検出結果と、の比に基づき、第１の照射時の第１の検出結果と、第２の照射時の第２の検出結果との差分を補正して熱中性子の量を算出する。これにより、算出部は、ターゲットから発生する中性子線の照射量自体の変化を考慮して補正を行った上で、熱中性子の量を算出できる。
【００１０】
中性子線測定装置は、各タイミングにおける熱中性子線の量と熱外中性子線の量との比率を記憶する記憶部と、第１のタイミングにおける比率と第２のタイミングにおける比率の変化に基づいて異常判定を行う判定部と、を備えてよい。これにより、判定部は、熱中性子線の量と熱外中性子線の量の比率は所定の範囲に収まっていることを監視することができ、且つ、異常が生じたことを検知することができる。
【００１１】
本発明に係る中性子線測定方法は、ターゲットへの荷電粒子線の照射によって発生した中性子線の量を測定する中性子線測定方法であって、熱中性子線及び熱外中性子線を含んだ中性子線の量を検出した第１の検出結果を取得する第１の検出結果取得工程と、熱中性子線がカットされた中性子線の量を検出した第２の検出結果を取得する第２の検出結果取得工程と、第１の検出結果及び第２の検出結果に基づいて、中性子線に含まれる熱中性子線の量を算出する算出工程と、を備える。
【００１２】
本発明に係る中性子線測定方法によれば、上述の中性子線測定装置と同様な作用・効果を得ることができる。
【００１３】
中性子線測定方法は、第１の検出結果取得工程では、ターゲットへの荷電粒子線の第１の照射の時に、検出器が中性子線の量を検出し、第２の検出結果取得工程では、ターゲットへの荷電粒子線の第２の照射の時に、熱中性子線をカットするフィルタを取り付けた状態の検出器が中性子線の量を検出してよい。このように、検出器に対してフィルタを着脱し、且つ、第１の照射及び第２の照射を行うことにより、第１の検出結果と第２の検出結果を一つの検出器で得ることができる。
【発明の効果】
【００１４】
本発明によれば、中性子線に含まれる熱中性子の量の測定精度を向上できる中性子線測定装置、及び中性子線測定方法を提供できる。
【図面の簡単な説明】
【００１５】
【図１】本発明の実施形態に係る中性子線測定装置の測定対象となる中性子線を発生する中性子捕捉療法装置を示す概略図である。
【図２】本実施形態に係る中性子線測定装置のブロック図である。
【図３】図２に示す中性子線測定装置の具体的な構成を示す概略構成図である。
【図４】本実施形態に係る中性子線測定方法の処理内容を示すフローチャートである。
【発明を実施するための形態】
【００１６】
以下、本発明の好適な実施形態について、図面を参照して詳細に説明する。
【００１７】
まず、本発明の実施形態に係る中性子線測定装置の測定対象となる中性子線を発生する中性子捕捉療法装置の概要について図１を参照しつつ説明する。図１に示される中性子捕捉療法装置１は、ホウ素中性子捕捉療法（ＢＮＣＴ：Boron Neutron Capture Therapy）を用いたがん治療を行う装置である。中性子捕捉療法装置１では、例えばホウ素（１０Ｂ）が投与された患者（被照射体）５０の腫瘍に中性子線Ｎを照射する。
【００１８】
中性子捕捉療法装置１は、加速器２を備えている。加速器２は、陰イオン等の荷電粒子を加速して、荷電粒子線Ｒを出射する。加速器２は、例えばサイクロトロンによって構成される。本実施形態において、荷電粒子線Ｒは陰イオンから電荷を剥ぎ取って生成した陽子ビームである。この加速器２は、例えば、ビーム半径４０ｍｍ、６０ｋＷ（＝３０ＭｅＶ×２ｍＡ）の荷電粒子線Ｒを生成する。なお、加速器は、サイクロトロンに限られず、シンクロトロンやシンクロサイクロトロン、ライナック、静電加速器などであってもよい。
【００１９】
加速器２から出射された荷電粒子線Ｒは、中性子線生成部Ｍへ送られる。中性子線生成部Ｍは、ビームダクト９とターゲット１０とからなる。加速器２から出射された荷電粒子線Ｒは、ビームダクト９を通り、ビームダクト９の端部に配置されたターゲット１０へ向かって進行する。このビームダクト９に沿って複数の四極電磁石４、及び走査電磁石６が設けられている。複数の四極電磁石４は、例えば電磁石を用いて荷電粒子線Ｒのビーム軸調整を行うものである。
【００２０】
走査電磁石６は、荷電粒子線Ｒを走査し、ターゲット１０に対する荷電粒子線Ｒの照射制御を行うものである。この走査電磁石６は、荷電粒子線Ｒのターゲット１０に対する照射位置を制御する。
【００２１】
中性子捕捉療法装置１は、荷電粒子線Ｒをターゲット１０に照射することにより中性子線Ｎを発生させ、患者５０に向かって中性子線Ｎを出射する。中性子捕捉療法装置１は、ターゲット１０、遮蔽体８、減速材３９、コリメータ２０を備えている。
【００２２】
ターゲット１０は、荷電粒子線Ｒの照射を受けて中性子線Ｎを生成するものである。ターゲット１０は、荷電粒子線が照射されることで中性子線を発生させる材質によって形成される固体形状の部材である。具体的に、ターゲット１０は、例えば、ベリリウム（Ｂｅ）やリチウム（Ｌｉ）、タンタル（Ｔａ）、タングステン（Ｗ）により形成され、例えば直径１６０ｍｍの円板状の固体形状をなしている。なお、ターゲット１０は、円板状に限らず、他の形状であってもよい。
【００２３】
ターゲット１０には、冷却部材１２０が接続されている。冷却部材１２０は、例えば、ターゲット１０と接触する接触面に複数の溝を有し、当該溝に冷却流体を流すことによって、ターゲット１０を冷却する。
【００２４】
減速材３９は、ターゲット１０で生成された中性子線Ｎを減速させる（中性子線Ｎのエネルギーを低下させる）ものである。減速材３９は、中性子線Ｎに含まれる速中性子を主に減速させる層３９Ａと、中性子線Ｎに含まれる熱外中性子を主に減速させる層３９Ｂと、からなる積層構造を有していてよい。
【００２５】
遮蔽体８は、発生させた中性子線Ｎ、及び当該中性子線Ｎの発生に伴って生じたガンマ線等を外部へ放出されないよう遮蔽するものである。遮蔽体８は、減速材３９を囲むように設けられている。遮蔽体８の上部及び下部は、減速材３９より荷電粒子線Ｒの上流側に延在している。
【００２６】
コリメータ２０は、中性子線Ｎの照射野を整形するものであり、中性子線Ｎが通過する開口２０ａを有する。コリメータ２０は、例えば中央に開口２０ａを有するブロック状の部材である。
【００２７】
次に、図２を参照して、本実施形態に係る中性子線測定装置１００の詳細な構成について説明する。中性子線測定装置１００は、ターゲット１０への荷電粒子線Ｒの照射によって発生した中性子線Ｎの量を測定する測定装置である。ここで、ターゲット１０で発生した中性子線Ｎは、熱中性子線及び熱外中性子線を含んでいる。なお、熱中性子と熱外中性子とは、中性子が有するエネルギー（すなわち速度）によって区別される。例えば、「熱中性子：０<エネルギー≦０．５ｅＶ」、「熱外中性子：０．５ｅＶ<エネルギー<１０ｋｅＶ」、「高速中性子：１０ｋｅＶ<エネルギー」熱中性子。なお、熱中性子線及び熱外中性子線が混合されている状態の中性子線を「混合中性子線」と称する場合がある。なお、本実施形態の説明において「中性子線を検出する」と称した場合は、混合中性子線を検出するのか熱中性子線を検出するのかを特に区別していないものとする。「混合中性子線を検出する」と称した場合は、熱中性子線及び熱外中性子線を検出することを示すものとする。「熱中性子線を検出する」と称した場合は、混合中性子線のうち、特に熱中性子線を検出することを示すものとする。ただし、熱中性子線を検出する場合は、測定対象の大半が熱中性子線であればよく、誤差の範囲内で熱外中性子線や他の帯域の中性子線を含んでもよい。また、中性子線などの「量を検出する」「量を測定する」と称した場合の「量」とは、中性子の個数（カウント数）を示していてよい。中性子の個数を示す物理量としてフルエンス（ｎ／ｃｍ２）を用いてよい。フルエンスは、所定の単位面積あたりに通過した中性子の総和を示す。なお、中性子の個数は検出器の感度にも影響されるものである。
【００２８】
中性子線測定装置１００は、混合中性子線の中の熱中性子線を精度よく測定できるものである。図２に示すように、中性子線測定装置１００は、第１の検出器１１と、第２の検出器１２と、制御部３０と、を備える。
【００２９】
第１の検出器１１は、中性子線の量を検出する機器である。第１の検出器１１は、主に、制御部３０が熱中性子線の量を算出するための検出結果を得るための検出器である。第１の検出器１１は、検出結果を制御部３０へ出力する。第１の検出器１１の具体的な構成の例については後述する。本実施形態においては、第１の検出器１１は、熱中性子線をカットするフィルタ１３を着脱可能である。従って、第１の検出器１１は、フィルタ１３が外された状態では、混合中性子線の量を検出する。第１の検出器は、フィルタ１３が取り付けられた状態では、当該フィルタ１３によって熱中性子線がカットされた中性子線の量を検出する。フィルタ１３によって熱中性子線がカットされた中性子線は、大半（例えば９９％以上）が熱外中性子線である。フィルタ１３として、熱中性子線を遮蔽し且つ、熱外中性子線を透過させる部材を採用すればよく、例えばカドミウムフィルタ、フッ化リチウムフィルタ、ガドリニウムフィルタ、ボロンフィルタなどを採用してよい。カドミウムフィルタは、熱中性子線をほぼ１００％カットすることができる。
【００３０】
なお、第１の検出器１１は機器としては１つの構成要素であるが、フィルタ１３の着脱前後では検出対象を異なった物とすることができるので、機能的には２つの検出部を備えている。従って、図２（ａ）に示すような、フィルタ１３が外された状態の第１の検出器１１は、混合中性子線（熱中性子線及び熱外中性子線を含んだ中性子線）の量を検出する第１の検出部１６として機能する。図２（ｂ）に示すような、フィルタ１３が取り付けられた状態の第１の検出器１１は、熱中性子線がカットされた中性子線の量を検出する第２の検出部１７として機能する。
【００３１】
第２の検出器１２は、中性子線の量を検出する機器である。第２の検出器１２は、主に、ターゲット１０が発生する中性子線の全体の照射量を把握するための検出器である。第２の検出器１２は、検出結果を制御部３０へ出力する。第２の検出器１２の具体的な構成の例については後述する。第２の検出器１２は、第１の検出器１１とは別体の機器として設けられている。第２の検出器１２は、熱中性子線及び熱外中性子線を含んだ中性子線の量を検出する第３の検出部１８として機能する。
【００３２】
制御部３０は、中性子線測定装置１００全体の制御を行う。制御部３０は、プロセッサ、メモリ、ストレージ、通信インターフェース及びユーザインターフェースを備え、一般的なコンピュータとして構成されている。プロセッサは、ＣＰＵ（Central  Processing  Unit）などの演算器である。メモリは、ＲＯＭ（Read  Only  Memory）やＲＡＭ（Random  Access  Memory）などの記憶媒体である。ストレージは、ＨＤＤ（Hard  Disk  Drive）などの記憶媒体である。通信インターフェースは、データ通信を実現する通信機器である。ユーザインターフェースは、液晶やスピーカなどの出力器、及び、キーボードやタッチパネルやマイクなどの入力器である。プロセッサは、メモリ、ストレージ、通信インターフェース及びユーザインターフェースを統括し、後述する制御部３０の機能を実現する。制御部３０では、例えば、ＲＯＭに記憶されているプログラムをＲＡＭにロードし、ＲＡＭにロードされたプログラムをＣＰＵで実行することにより各種の機能を実現する。制御部３０は、複数のコンピュータから構成されていてもよい。
【００３３】
制御部３０は、検出結果取得部３１と、算出部３２と、判定部３３と、記憶部３４と、を備える。
【００３４】
検出結果取得部３１は、検出部１６，１７，１８（すなわち検出器１１，１２）からの検出結果を取得する。検出結果取得部３１は、熱中性子線及び熱外中性子線を含んだ中性子線の量を検出する第１の検出部１６からの第１の検出結果と、熱中性子線がカットされた中性子線の量を検出する第２の検出部１７からの第２の検出結果と、熱中性子線及び熱外中性子線を含んだ中性子線の量を検出する第３の検出部１８からの第３の検出結果と、を取得する。
【００３５】
ここで、測定時においては、第１の検出器１１は、フィルタ１３を取り外した状態での検出と、フィルタ１３を取り付けた状態での検出と、の２回の検出を行う。従って、第１の検出器１１からフィルタ１３が外された状態で行われるターゲット１０への荷電粒子線Ｒの照射を「第１の照射」と称する。第１の検出器１１にフィルタ１３が取り付けられた状態で行われるターゲット１０への荷電粒子線Ｒの照射を「第２の照射」と称する。
【００３６】
検出結果取得部３１は、第１の照射の時に、フィルタ１３が外された第１の検出器１１、すなわち第１の検出部１６からの第１の検出結果、及び第２の検出器１２、すなわち第３の検出部１８からの第３の検出結果を取得する。検出結果取得部３１は、第２の照射の時に、フィルタ１３が取り付けられた第１の検出器１１、すなわち第２の検出部１７からの第２の検出結果、及び第２の検出器１２、すなわち第３の検出部１８からの第３の検出結果を取得する。
【００３７】
算出部３２は、検出結果取得部３１で取得された検出結果に基づいて、中性子線の量を算出する。算出部３２は、検出結果取得部３１で取得された第１の検出結果及び第２の検出結果に基づいて、中性子線に含まれる熱中性子線の量を算出する。前述のように、第１の検出結果は、熱中性子線及び熱外中性子線の双方を含む中性子線の量を示している。第２の検出結果は、熱中性子がカットされた中性子線の量を示している。従って、算出部３２は、第１の照射時の第１の検出結果と、第２の照射時の第２の検出結果との差分を算出する。これにより、算出部３２は、このような差分に基づいて演算を行うことにより、中性子線に含まれる熱中性子線の量を算出できる。
【００３８】
ここで、上述の様に算出部３２による算出は、第１の照射及び第２の照射の２回の照射による検出結果に基づいてなされる。従って、第１の照射と第２の照射との間で、ターゲット１０が発生する中性子線の照射量自体が異なっていた場合、第１の照射時に中性子線に含まれる熱中性子線の量と、第２の照射時に中性子線に含まれる熱中性子線の量と、の間には差が生じる。一方、第３の検出部１８を構成する第２の検出器１２は、第１の照射及び第２の照射の両方において、ターゲット１０が発生する中性子線の照射量自体を測定している。すなわち、算出部３２は、第３の検出部１８からの第３の検出結果を参照することで、第１の照射と第２の照射との間において、ターゲット１０が発生する中性子線の照射量がどの程度異なっているかを把握することができる。具体的には、算出部３２は、第１の照射時の第３の検出結果と、第２の照射時の第３の検出結果と、の比を算出することで、第１の照射と第２の照射との間において、ターゲット１０が発生する中性子線の照射量がどの程度異なっているかを把握する。従って、算出部３２は、第１の照射時の第３の検出結果と、第２の照射時の第３の検出結果と、の比に基づき、第１の照射時の第１の検出結果と、第２の照射時の第２の検出結果との差分を補正して熱中性子の量を算出する。これにより、算出部３２は、補正された熱中性子線の量を算出可能である。算出部３２は、算出結果をモニタ等の表示部に表示することができる。
【００３９】
算出部３２は、上述の様に熱中性子線の量を把握することができるため、熱外中性子線の量を把握することができる。従って、算出部３２は、熱中性子線の量と熱外中性子線の量との比率を算出することができる。算出部３２は、算出した比率を記憶部３４へ送信する。上述の様な測定及び演算は、中性子捕捉療法装置１の点検などの際に各タイミングで繰り返し行われる。従って、記憶部３４は、各タイミングにおける熱中性子線の量と熱外中性子線の量との比率を記憶する。
【００４０】
判定部３３は、記憶部３４に記憶された熱中性子線の量と熱外中性子線の量との比率に基づいて異常判定を行うことができる。すなわち、ターゲット１０が発生する中性子線は、異常がなければ、当該中性子線の中に含まれる熱中性子線と熱外中性子線との間の比率にそれほど大きな変動はないものであるため、当該比率に大きく変動がある場合は、何かしらの異常が生じていると判断することができる。判定部３３は、任意のあるタイミング（第１のタイミング）における比率と任意の他のタイミング（第２のタイミング）における比率の変化に基づいて、異常判定を行う。なお、判定部３３は、中性子捕捉療法装置１及び中性子線測定装置１００の少なくともいずれかに異常があることを判定することができるが、どちらに異常があるかまでは検知を行うことができない。よって、判定部３３が異常判定を行ったときに、別途の異常判定機構を用いて異常箇所の特定がなされてもよい。
【００４１】
なお、判定部３３は、上述する異常判定のみならず、各種異常判定を行ってよい。例えば、第１の照射時と第２の照射時における中性子線全体の照射量、すなわち第３の検出部１８を構成する第２の検出器１２の検出値が異なる場合があるものとする。仮に、中性子捕捉療法装置１が第１の照射と第２の照射とで同じ照射量とする予定であったにも関わらず、各照射における第２の検出器１２の検出が異なっている場合、中性子捕捉療法装置１及び中性子線測定装置１００のいずれが異常状態にある。従って、判定部３３は、当該異常を判定してよい。例えば、制御部３０は、第１の照射時に予定されている照射量、及び第２の照射時に予定されている照射量を取得する。算出部３２は、第１の照射で予定された照射量と第２の照射で予定された照射量との比を算出する。照射が行われた後、算出部３２は、第１の照射時と第２の照射時の実際の測定に係る照射量の比を算出する。判定部３３は、予定された照射量の比と、実際の照射量の比を比較し、両者の差異が所定の許容値（例えば３％）以上である場合は異常であると判定してよい。このような異常判定がなされなかった場合に、算出部３２は、第１の照射時の第１の検出結果と、第２の照射時の第２の検出結果との差分を補正して熱中性子の量を算出する。なお、上述の様な演算に用いるため、記憶部３４は、各照射時に予定されている予定照射量の値を記憶してよい。また、記憶部３４が予定照射量を記憶して蓄積しておくことで、判定部３３が蓄積された当該記憶データを照会しながら測定値を監視することで、異常を検知することができる。例えば、ある予定照射量に設定した時の熱中性子の測定値が、過去に同程度の予定照射量で照射がなされたときの測定値から大きく異なる場合、判定部３３は、異常判定を行うことができる。
【００４２】
図３を参照して、中性子線測定装置１００の具体的構成の一例について説明する。第１の検出器１１は、シンチレータ４１Ａと、シンチレータ４１Ａが先端に設けられた光ファイバ４２Ａと、光ファイバ４２Ａから伝達された光を検出する光検出器４３Ａと、を備える。光検出器４３Ａによる検出結果は、電気ケーブル４４Ａを介して測定装置４６に入力される。測定装置４６は、第１の検出器１１からの検出結果を所定の測定値に変換した上で、制御部３０へ送信する。制御部３０は、当該測定値を第１の検出器１１からの検出結果として取得する。なお、制御部３０は、第１の検出器１１からの検出結果を直接受信し、測定装置４６が行う処理を内部で行ってよい。
【００４３】
シンチレータ４１Ａは、入射した中性子線を光に変換する蛍光体である。シンチレータ４１は、コリメータ２０の開口２０ａと対向する位置であって、開口２０ａから出射された中性子線と接触可能な位置に配置される。シンチレータ４１Ａは、入射した中性子線の線量に応じて内部結晶が励起状態となり、シンチレーション光を発生させる。従って、制御部３０は、シンチレータ４１Ａで発生した光に基づいて中性子線の量を算出することができる。シンチレータ４１には、フィルタ１３を着脱可能な機構が設けられている。フィルタ１３は、シンチレータ４１を覆うように設けられる。なお、第１の検出器１１として、シンチレーション検出器以外に、イオンチェンバー、ガスチェンバー、半導体検出器や比例係数管等を採用してもよい。なお、フィルタ１３は、構造上の理由からシンチレータ４１を完全に覆わないものであってもよい。この場合、微量の熱中性子がシンチレータ４１に入り込むが、算出部３２は、このような微量の熱中性子分を補正して演算する機能を有してよい。
【００４４】
第２の検出器１２は、第１の検出器１１のシンチレータ４１Ａ、光ファイバ４２Ａ、及び光検出器４３Ａと同趣旨のシンチレータ４１Ｂ、光ファイバ４２Ｂ、及び光検出器４３Ｂを有する。第２の検出器１２は、シンチレータ４１Ｂにフィルタ１３が取り付けられない点以外は、第１の検出器１１と同趣旨の構成を有する。
【００４５】
次に、図４を参照して、本実施形態に係る中性子線測定方法の処理内容について説明する。図４の処理は、制御部３０の各構成要素によって実行される処理である。なお、中性子線測定方法の内容は図４に示す例に限定されるものではない。
【００４６】
まず、１回目の測定は、第１の検出器１１にフィルタ１３が取り付けられない状態にて行われる。中性子捕捉療法装置１は、当該状態にてターゲット１０へ荷電粒子線を照射する（第１の照射）。第１の検出器１１は、熱中性子線及び熱外中性子線を含む中性子線の量を検出する。第１の照射時には、第１の検出器１１は、第１の検出部１６として第１の検出結果を制御部３０へ送信する。これによって、検出結果取得部３１は、熱中性子線及び熱外中性子線を含んだ中性子線の量を検出した第１の検出結果を取得する第１の検出結果取得工程を実行する（ステップＳ１０）。すなわち、第１の検出結果取得工程Ｓ１０では、ターゲット１０への荷電粒子線の第１の照射の時に、第１の検出器１１が中性子線の量を検出する。第１の照射時には、第２の検出器１２は、第３の検出部１８として第３の検出結果を制御部３０へ送信する。従って、検出結果取得部３１は、第１の照射時の第３の検出結果も取得する。
【００４７】
次に、２回目の測定は、第１の検出器１１にフィルタ１３が取り付けられた状態にて行われる。中性子捕捉療法装置１は、当該状態にてターゲット１０へ荷電粒子線を照射する（第２の照射）。第１の検出器１１は、熱中性子線がカットされた中性子線の量を検出する。第２の照射時には、第１の検出器１１は、第２の検出部１７として第２の検出結果を制御部３０へ送信する。これによって、検出結果取得部３１は、熱中性子線がカットされた中性子線の量を検出した第２の検出結果を取得する第２の検出結果取得工程を実行する（ステップＳ２０）。第２の検出結果取得工程Ｓ２０では、ターゲット１０への荷電粒子線の第２の照射の時に、熱中性子線をカットするフィルタ１３を取り付けた状態の第１の検出器１１が中性子線の量を検出する。第２の照射時には、第２の検出器１２は、第３の検出部１８として第３の検出結果を制御部３０へ送信する。従って、検出結果取得部３１は、第２の照射時の第３の検出結果も取得する。
【００４８】
次に、算出部３２は、第１の検出結果取得工程Ｓ１０で取得された第１の検出結果及び第２の検出結果取得工程Ｓ２０で取得された第２の検出結果に基づいて、中性子線に含まれる熱中性子線の量を算出する算出工程を実行する（ステップＳ３０）。算出工程Ｓ３０では、算出部３２は、第１の検出結果取得工程Ｓ１０で取得された第１の検出結果と第２の検出結果取得工程Ｓ２０で取得された第２の検出結果との差分を算出することで、熱中性子線の量を算出する。
【００４９】
次に、算出部３２は、第１の検出結果取得工程Ｓ１０で取得された第３の検出結果及び第２の検出結果取得工程Ｓ２０で取得された第３の検出結果の比較を行うことで、第１の照射時と第２の照射時における中性子線の照射量の違いを把握する比較工程を実行する（ステップＳ４０）。比較工程Ｓ４０では、算出部３２は、第１の照射時の第３の検出結果と、第２の照射時の第３の検出結果と、の比を算出する。
【００５０】
次に、算出部３２は、比較工程Ｓ４０で算出された第１の照射時の第３の検出結果と、第２の照射時の第３の検出結果と、の比に基づき、第１の照射時の第１の検出結果と、第２の照射時の第２の検出結果との差分を補正して熱中性子の量を算出する補正工程を実行する（ステップＳ５０）。これにより、算出部３２は、第１の照射時と第２の照射時の中性子線の照射量の違いを考慮して補正された熱中性子線の量を算出できる。以上により、図４に示す処理が終了する。
【００５１】
次に、本実施形態に係る中性子線測定装置１００及び中性子線測定方法の作用・効果について説明する。
【００５２】
本実施形態に係る中性子線測定装置１００は、中性子線を検出する検出部１６，１７，１８からの検出結果を取得する検出結果取得部３１と、検出結果取得部３１で取得された検出結果に基づいて、中性子線の量を算出する算出部３２と、を備える。ここで、検出結果取得部３１は、熱中性子線及び熱外中性子線を含んだ中性子線の量を検出する第１の検出部１６からの第１の検出結果を取得する。それに加えて、検出結果取得部３１は、熱中性子線がカットされた中性子線の量を検出する第２の検出部１７からの第２の検出結果と、を取得する。このように第２の検出結果は、熱中性子線がカットされた状態の中性子線の量を示しているため、第１の検出結果と第２の検出結果との差分は、中性子線に含まれる熱中性子線の量を示している。従って、算出部３２は、第１の検出結果及び第２の検出結果に基づいて、中性子線に含まれる熱中性子線の量を算出する。以上により、中性子線に含まれる熱中性子の量の測定精度を向上できる。
【００５３】
中性子線測定装置１００は、熱中性子線をカットするフィルタ１３を着脱可能であって、フィルタ１３が外された状態では第１の検出部１６として検出を行い、フィルタ１３が取り付けられた状態では第２の検出部１７として検出を行う第１の検出器１１と、熱中性子線及び熱外中性子線を含んだ中性子線の量を検出する第３の検出部１８として検出を行い、第１の検出器１１とは別体として設けられた第２の検出器１２と、を備え、検出結果取得部３１は、第１の検出器１１からフィルタ１３が外された状態で行われるターゲット１０への荷電粒子線の第１の照射の時に、第１の検出部１６からの第１の検出結果、及び第３の検出部１８からの第３の検出結果を取得し、第１の検出器１１にフィルタ１３が取り付けられた状態で行われるターゲット１０への荷電粒子線の第２の照射の時に、第２の検出部１７からの第２の検出結果、及び第３の検出部１８からの第３の検出結果を取得し、算出部３２は、第１の照射時の第１の検出結果と、第２の照射時の第２の検出結果との差分を算出し、第１の照射時の第３の検出結果と、第２の照射時の第３の検出結果と、の比に基づき、差分を補正して熱中性子の量を算出してよい。このように、第１の検出器１１に対してフィルタ１３を着脱し、且つ、第１の照射及び第２の照射を行うことにより、第１の検出部１６と第２の検出部１７とを一つの検出器１１で兼用することができる。ここで、第１の照射と第２の照射とで、ターゲット１０から発生する中性子線の照射量自体が変化する場合がある。しかしながら、このような場合であっても、第１の検出器１１とは別体の第２の検出器１２にて、第１の照射時と第２の照射時に、ターゲット１０から発生する中性子線の照射量を第３の検出結果として検出する。また、算出部３２は、第１の照射時の第３の検出結果と、第２の照射時の第３の検出結果と、の比に基づき、第１の照射時の第１の検出結果と、第２の照射時の第２の検出結果との差分を補正して熱中性子の量を算出する。これにより、算出部３２は、ターゲット１０から発生する中性子線の照射量自体の変化を考慮して補正を行った上で、熱中性子の量を算出できる。
【００５４】
中性子線測定装置１００は、各タイミングにおける熱中性子線の量と熱外中性子線の量との比率を記憶する記憶部３４と、第１のタイミングにおける比率と第２のタイミングにおける比率の変化に基づいて異常判定を行う判定部３３と、を備えてよい。これにより、判定部３３は、熱中性子線の量と熱外中性子線の量の比率は所定の範囲に収まっていることを監視することができ、且つ、異常が生じたことを検知することができる。
【００５５】
本実施形態に係る中性子線測定方法は、ターゲット１０への荷電粒子線の照射によって発生した中性子線の量を測定する中性子線測定方法であって、熱中性子線及び熱外中性子線を含んだ中性子線の量を検出した第１の検出結果を取得する第１の検出結果取得工程Ｓ１０と、熱中性子線がカットされた中性子線の量を検出した第２の検出結果を取得する第２の検出結果取得工程Ｓ２０と、第１の検出結果及び第２の検出結果に基づいて、中性子線に含まれる熱中性子線の量を算出する算出工程Ｓ３０と、を備える。
【００５６】
本発明に係る中性子線測定方法によれば、上述の中性子線測定装置１００と同様な作用・効果を得ることができる。
【００５７】
中性子線測定方法は、第１の検出結果取得工程Ｓ１０では、ターゲット１０への荷電粒子線の第１の照射の時に、第１の検出器１１が中性子線の量を検出し、第２の検出結果取得工程Ｓ２０では、ターゲット１０への荷電粒子線の第２の照射の時に、熱中性子線をカットするフィルタを取り付けた状態の第１の検出器１１が中性子線の量を検出してよい。このように、第１の検出器１１に対してフィルタ１３を着脱し、且つ、第１の照射及び第２の照射を行うことにより、第１の検出結果と第２の検出結果を一つの第１の検出器１１で得ることができる。
【００５８】
本発明は、上述の実施形態に限定されるものではない。
【００５９】
例えば、上述の実施形態では、第１の検出部１６と第２の検出部１７を一つの第１の検出器１１によって兼用していた。これに代えて、第１の検出部１６として機能する一つの検出器を設け、第２の検出部１７として機能する一つの検出器を設けてよい。この場合は、１回の照射で第１の検出結果及び第２の検出結果を同時に取得することができる。
【符号の説明】
【００６０】
１…中性子捕捉療法装置、１０…ターゲット、１１…第１の検出器、１２…第２の検出器、１３…フィルタ、１６…第１の検出部、１７…第２の検出部、１８…第３の検出部、３１…検出結果取得部、３２…算出部、３３…判定部、３４…記憶部、１００…中性子線測定装置。
【図１】
2019184446.tif 000003
【図２】
2019184446.tif 000004
【図３】
2019184446.tif 000005
【図４】
2019184446.tif 000006